(57)【特許請求の範囲】
【請求項１】
表示手段と、
各見出し語と、当該見出し語についての複数の構成要素の情報を含む説明情報とを対応付けた辞書情報を複数種類記憶する辞書記憶手段と、
ユーザ操作に基づいて、前記複数の構成要素のうち１つ以上の構成要素を、前記複数種類の辞書情報の何れかに対応付けて設定する構成要素‐辞書情報対応設定手段と、
ユーザ操作に基づいて検索文字列を入力する入力手段と、
前記構成要素‐辞書情報対応設定手段により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御手段と、
を備え、
前記構成要素‐辞書情報対応設定手段は、
ユーザ操作に基づいて、前記辞書記憶手段に記憶されたいずれかの辞書情報の何れかの見出し語の説明情報を表示させる説明情報表示制御手段と、
ユーザ操作に基づいて、前記説明情報表示制御手段により表示制御された説明情報中の何れかの構成要素の情報を、登録用領域までドラッグ&ドロップすると、このドラッグ&ドロップされた情報の構成要素を当該辞書情報に対応付けて設定するドラッグ&ドロップ設定手段と、
を有することを特徴とする情報表示装置。
【請求項２】
請求項１記載の情報表示装置において、
前記複数種類の辞書情報には、
１文字の漢字の見出し語と、少なくとも当該漢字の筆順を構成要素の情報として含む説明情報とを対応付けた漢字辞典の辞書情報が含まれており、
前記説明情報表示制御手段は、
前記構成要素−辞書情報対応設定手段に筆順の構成要素が設定されている場合には、前記検索文字列に対応する見出し語内、或いは当該見出し語の送り仮名表記内の各漢字の筆順の情報を、当該筆順の構成要素に対応づけて設定された漢字辞典の辞書情報からそれぞれ読み出して、一括して表示させること特徴とする情報表示装置。
【請求項３】
表示手段と、
各見出し語と、当該見出し語についての複数の構成要素の情報を含む説明情報とを対応付けた辞書情報を複数種類記憶する辞書記憶手段と、
ユーザ操作に基づいて、前記複数の構成要素のうち１つ以上の構成要素を、前記複数種類の辞書情報の何れかに対応付けて設定する構成要素‐辞書情報対応設定手段と、
ユーザ操作に基づいて検索文字列を入力する入力手段と、
前記構成要素‐辞書情報対応設定手段により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御手段と、
を備え、
前記複数種類の辞書情報には、
複数の言語の辞書情報が含まれており、
当該情報表示装置は、
前記構成要素‐辞書情報対応設定手段を、言語種ごとに備え、
前記構成要素‐辞書情報対応設定手段は、
何れかの辞書情報を、ジャンプ先の辞書情報として設定するジャンプ先設定手段を有しており、
前記説明情報表示制御手段は、
辞書情報から読み出した構成要素の部分を一括して前記表示手段のメインディスプレイに表示させ、
当該情報表示装置は、
前記構成要素情報一括表示制御手段により表示制御された各構成要素の情報のうちの何れかの単語を、ユーザ操作に基づきジャンプ対象単語として指定する単語指定手段と、
前記単語指定手段により前記ジャンプ対象単語が指定された場合に、当該ジャンプ対象単語に対応する見出し語の説明情報を、前記ジャンプ先の辞書情報から読み出して前記表示手段のサブディスプレイに表示させるジャンプ先表示制御手段と、
を備えることを特徴とする情報表示装置。
【請求項４】
表示手段を有するコンピュータに、
各見出し語と、当該見出し語についての複数の構成要素の情報を含む説明情報とを対応付けた辞書情報を複数種類記憶する辞書記憶機能と、
ユーザ操作に基づいて、前記複数の構成要素のうち１つ以上の構成要素を、前記複数種類の辞書情報の何れかに対応付けて設定する構成要素‐辞書情報対応設定機能と、
ユーザ操作に基づいて検索文字列を入力する入力機能と、
前記構成要素‐辞書情報対応設定機能により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御機能と、
を実現させ、
前記構成要素‐辞書情報対応設定機能は、
ユーザ操作に基づいて、前記辞書記憶機能により記憶されたいずれかの辞書情報の何れかの見出し語の説明情報を表示させる説明情報表示制御機能と、
ユーザ操作に基づいて、前記説明情報表示制御機能により表示制御された説明情報中の何れかの構成要素の情報を、登録用領域までドラッグ&ドロップすると、このドラッグ&ドロップされた情報の構成要素を当該辞書情報に対応付けて設定するドラッグ&ドロップ設定機能と、
を有することを特徴とする情報表示プログラム。
【請求項５】
表示手段を有するコンピュータに、
各見出し語と、当該見出し語についての複数の構成要素の情報を含む説明情報とを対応付けた辞書情報を複数種類記憶する辞書記憶機能と、
ユーザ操作に基づいて、前記複数の構成要素のうち１つ以上の構成要素を、前記複数種類の辞書情報の何れかに対応付けて設定する構成要素‐辞書情報対応設定機能と、
ユーザ操作に基づいて検索文字列を入力する入力機能と、
前記構成要素‐辞書情報対応設定機能により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御機能と、
を実現させ、
前記複数種類の辞書情報には、
複数の言語の辞書情報が含まれており、
前記構成要素‐辞書情報対応設定機能を、言語種ごとに備え、
前記構成要素‐辞書情報対応設定機能は、
何れかの辞書情報を、ジャンプ先の辞書情報として設定するジャンプ先設定手段を有しており、
前記説明情報表示制御機能は、
辞書情報から読み出した構成要素の部分を一括して前記表示手段のメインディスプレイに表示させ、
前記構成要素情報一括表示制御機能により表示制御された各構成要素の情報のうちの何れかの単語を、ユーザ操作に基づきジャンプ対象単語として指定する単語指定機能と、
前記単語指定機能により前記ジャンプ対象単語が指定された場合に、当該ジャンプ対象単語に対応する見出し語の説明情報を、前記ジャンプ先の辞書情報から読み出して前記表示手段のサブディスプレイに表示させるジャンプ先表示制御機能と、
を有することを特徴とする情報表示プログラム。
【発明の詳細な説明】
【技術分野】
【０００１】
本発明は、情報表示装置及び情報表示プログラムに関する。
【背景技術】
【０００２】
従来から、辞書機能を有する電子辞書などの情報表示装置においては、各見出し語と見出し語の説明情報とを対応付けて記憶する辞書データベースが少なくとも１つ備えられている。この情報表示装置で見出し語検索を行うと、入力された文字に対応する見出し語が辞書データベース内で検索され、検出された見出し語と、その説明情報とが表示される。
【０００３】
ところで、見出し語の説明情報には、複数の語義（第１の語義，第２の語義，…）や、品詞、活用タイプなど、見出し語を説明するための構成要素の情報が複数含まれている。
そのため、近年、このような情報表示装置に関する技術として、見出し語ごとに構成要素の情報の並べ替えや取捨選択を行って説明情報を表示させる技術や、複数の辞書データベースから同一の見出し語の説明情報を読み出して同内容の語義を並べて表示させる技術等が提案されている（例えば特許文献１，２参照）。
【先行技術文献】
【特許文献】
【０００４】
【特許文献１】特開２０００−１９４７０１号公報
【特許文献２】特開２００５−２０２８５９号公報
【発明の概要】
【発明が解決しようとする課題】
【０００５】
しかしながら、従来の技術では、例えば品詞については第１国語辞典の辞書データベース、第１の語義については第２国語辞典の辞書データベース、第２の語義については第３国語辞典の辞書データベースというように、構成要素ごとに所望の辞書データベースから説明情報を読み出し、これらの構成要素ごとの情報を一括して表示させることはできない。つまり、複数の辞書データベースから構成要素ごとに所謂「良いとこ取り」を行って一括表示させることはできない。
【０００６】
本発明の課題は、見出し語の説明情報を構成要素ごとに所望の辞書データベースから読み出し、これら構成要素ごとの情報を一括して表示させることのできる情報表示装置及び情報表示プログラムを提供することである。
【課題を解決するための手段】
【０００７】
請求項１記載の発明は、情報表示装置において、
表示手段と、
各見出し語と、当該見出し語についての複数の構成要素の情報を含む説明情報とを対応付けた辞書情報を複数種類記憶する辞書記憶手段と、
ユーザ操作に基づいて、前記複数の構成要素のうち１つ以上の構成要素を、前記複数種類の辞書情報の何れかに対応付けて設定する構成要素‐辞書情報対応設定手段と、
ユーザ操作に基づいて検索文字列を入力する入力手段と、
前記構成要素‐辞書情報対応設定手段により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御手段と、
を備え、
前記構成要素‐辞書情報対応設定手段は、
ユーザ操作に基づいて、前記辞書記憶手段に記憶されたいずれかの辞書情報の何れかの見出し語の説明情報を表示させる説明情報表示制御手段と、
ユーザ操作に基づいて、前記説明情報表示制御手段により表示制御された説明情報中の何れかの構成要素の情報を、登録用領域までドラッグ&ドロップすると、このドラッグ&ドロップされた情報の構成要素を当該辞書情報に対応付けて設定するドラッグ&ドロップ設定手段と、
を有することを特徴とする。
また請求項３記載の発明は、情報表示装置において、
表示手段と、
各見出し語と、当該見出し語についての複数の構成要素の情報を含む説明情報とを対応付けた辞書情報を複数種類記憶する辞書記憶手段と、
ユーザ操作に基づいて、前記複数の構成要素のうち１つ以上の構成要素を、前記複数種類の辞書情報の何れかに対応付けて設定する構成要素‐辞書情報対応設定手段と、
ユーザ操作に基づいて検索文字列を入力する入力手段と、
前記構成要素‐辞書情報対応設定手段により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御手段と、
を備え、
前記複数種類の辞書情報には、
複数の言語の辞書情報が含まれており、
当該情報表示装置は、
前記構成要素‐辞書情報対応設定手段を、言語種ごとに備え、
前記構成要素‐辞書情報対応設定手段は、
何れかの辞書情報を、ジャンプ先の辞書情報として設定するジャンプ先設定手段を有しており、
前記説明情報表示制御手段は、
辞書情報から読み出した構成要素の部分を一括して前記表示手段のメインディスプレイに表示させ、
当該情報表示装置は、
前記構成要素情報一括表示制御手段により表示制御された各構成要素の情報のうちの何れかの単語を、ユーザ操作に基づきジャンプ対象単語として指定する単語指定手段と、
前記単語指定手段により前記ジャンプ対象単語が指定された場合に、当該ジャンプ対象単語に対応する見出し語の説明情報を、前記ジャンプ先の辞書情報から読み出して前記表示手段のサブディスプレイに表示させるジャンプ先表示制御手段と、
を備えることを特徴とする。
【発明の効果】
【０００８】
本発明によれば、見出し語の説明情報を構成要素ごとに所望の辞書データベースから読み出し、これら構成要素ごとの情報を一括して表示させることができる。
【図面の簡単な説明】
【０００９】
【図１】電子辞書の概観を示す平面図である。
【図２】電子辞書の内部構成を示すブロック図である。
【図３】カスタム辞書設定テーブルのデータ構造を示す図である。
【図４】カスタム辞書登録処理を示すフローチャートである。
【図５】辞書検索処理を示すフローチャートである。
【図６】表示部による表示内容を示す図である。
【図７】表示部による表示内容を示す図である。
【図８】表示部による表示内容を示す図である。
【図９】表示部による表示内容を示す図である。
【発明を実施するための形態】
【００１０】
以下、図面を参照して、本発明に係る情報表示装置を電子辞書に適用した場合の実施形態について詳細に説明する。
【００１１】
［外観構成］
図１は、電子辞書１の平面図である。
この図に示すように、電子辞書１は、メインディスプレイ１０、サブディスプレイ１１、カードスロット１２及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、それぞれタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）と着脱可能に設けられている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇ等とを有している。
【００１５】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００１６】
カーソルキー２ｅは、画面内の反転表示位置、つまりカーソル位置の移動等に使用されるキーであり、本実施の形態においては上下左右の方向を指定可能となっている。戻るキー２ｇは、前回表示した画面に戻るとき等に使用されるキーである。
【００１７】
［内部構成］
続いて、電子辞書１の内部構成について説明する。図２は、電子辞書１の内部構成を示すブロック図である。
【００１８】
この図に示すように、電子辞書１は、表示部４０、入力部３０、通信部５０、記録媒体読取部５５、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１９】
表示部４０は、上述のメインディスプレイ１０及びサブディスプレイ１１からなり、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
通信部５０は、有線／無線ＬＡＮ（Local Area Network）等により近距離通信可能となっているか、或いはインターネットに接続可能となっており、これにより、通信機能を備えた外部機器との通信が可能となっている。
【００２２】
記録媒体読取部５５は、上述のカードスロット１２を備えており、当該カードスロット１２に装着された外部情報記憶媒体１２ａから情報を読み出したり、当該外部情報記憶媒体１２ａに情報を記録したりするようになっている。
【００２３】
ここで、外部情報記憶媒体１２ａには、通信部５０を介してダウンロードされる辞書データベース８２０や学習コンテンツ８３０等が格納されるようになっている。なお、これらの辞書データベース８２０や学習コンテンツ８３０は後述のフラッシュＲＯＭ８０における辞書データベース８２０や学習コンテンツ８３０と同様のデータ構造を有しているため、ここでは説明を省略する。
【００２４】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２５】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、学習コンテンツ群８３と、カスタム辞書設定テーブル群８４等とを記憶している。
【００２６】
情報表示プログラム８１は、後述のカスタム辞書登録処理（図４参照）及び辞書検索処理（図５参照）をＣＰＵ２０に実行させるためのプログラムである。
【００２７】
辞書データベース群８２は、複数種類の辞書データベース８２０を有している。これらの辞書データベース８２０，…においては、見出し語と、この見出し語についての複数の構成要素の情報を含む説明情報とが対応付けされて複数格納されている。ここで、説明情報の構成要素の情報としては、後述の図３に示すように、見出し語の音声データや活用語幹・語尾、送り仮名表記などが挙げられる。構成要素の情報が音声データの場合には、当該構成要素の情報（音声データ）は説明情報内で音声アイコンＩ３（図６（ａ）参照）として表示される。
【００２８】
なお、本実施の形態においては、以上の辞書データベース８２０として、英語を学習するための英語系辞書や、日本語を学習するための日本語系辞書など、別々の言語の辞書データベース８２０が用いられている。そして、英語系辞書としては、例えば「ジ○ニアス英和辞書」や「オ○クスフォード英英辞書」、「プ○シード和英辞書」等の辞書データベース８２０が用いられている。また、日本語系辞書としては、例えば「広○苑」（国語辞典）や「明○国語辞典」、「新漢○林」（漢字辞典）、「日本語発音アクセント辞典」（発音辞典）等の辞書データベース８２０が用いられている。このうち、漢字辞典の辞書データベース８２０では、１文字の漢字の見出し語と、少なくとも当該漢字の筆順を構成要素として含んだ説明情報とが対応付けられて複数格納されている。
【００２９】
学習コンテンツ群８３は、単語集などの学習コンテンツ８３０を複数有しており、本実施の形態においては、「ＴＯＥＩＣ２０００語」等の学習コンテンツ８３０を有している。
【００３０】
カスタム辞書設定テーブル群８４は、辞書データベース８２０の言語種ごとにカスタム辞書設定テーブル８４０を有している。
【００３１】
これらのカスタム辞書設定テーブル８４０は、後述のカスタム辞書登録処理（図４参照）において設定される「カスタム辞書」の内容を記憶するテーブルであり、複数の辞書データベース８２０から構成要素ごとに所謂「良いとこ取り」を行って説明情報を表示させるために用いられるようになっている。
【００３２】
具体的には、図３に示すように、このカスタム辞書設定テーブル８４０は、見出し語の説明情報における複数の構成要素のうち、１つ以上の各構成要素として「音声」、「活用語幹・語尾」、「筆順」などの要素名又はその識別ＩＤを、辞書データベース８２０の何れかに対応付けて設定している。但し、本実施の形態においては、「筆順」の構成要素は、漢字辞典の辞書データベース８２０のみに対応付けられるようになっている。
【００３３】
また、本実施の形態におけるカスタム辞書設定テーブル８４０には、何れかの辞書データベース８２０の辞書名がジャンプ先として記憶されるとともに、何れかの学習コンテンツ８３０のコンテンツ名が学習用情報の読み出し元として記憶されている。
【００３４】
ＲＡＭ９０は、ＣＰＵ２０が実行する各種プログラムや、これらプログラムの実行に係るデータ等を一時的に保持するメモリ領域を備えている。
【００３５】
［動作］
続いて、電子辞書１の動作について、図面を参照しつつ説明する。
【００３６】
＜カスタム辞書登録処理＞
図４は、ＣＰＵ２０が情報表示プログラム８１を読み出して実行するカスタム辞書登録処理の流れを示すフローチャートである。
【００３７】
この図に示すように、カスタム辞書登録処理においてまずＣＰＵ２０は、ユーザ操作に基づいて日本語及び英語のカスタム辞書設定テーブル８４０の何れかを設定対象として指定する（ステップＳ１）。
【００３８】
次に、ＣＰＵ２０は、ユーザ操作に基づいて何れかの辞書データベース８２０を選択辞書データベース８２０Ｓとして選択した後（ステップＳ２）、ユーザ操作に基づいて検索文字列を入力する（ステップＳ３）。なお、このステップＳ２においてユーザは、ステップＳ１で設定対象として指定したカスタム辞書設定テーブル８４０に対応する言語種の辞書データベース８２０を選択するようになっている。
【００３９】
次に、ＣＰＵ２０は、検索文字列に対応する見出し語（例えば選択文字列に前方一致する見出し語）を選択辞書データベース８２０Ｓから検索し、検出された見出し語をメインディスプレイ１０に一覧表示させた後、ユーザ操作に基づいて何れかの見出し語を選択見出し語として選択する（ステップＳ４）。
【００４０】
次に、ＣＰＵ２０は、選択辞書データベース８２０Ｓから選択見出し語の説明情報を読み出してメインディスプレイ１０に表示させるとともに、カスタムアイコンＩ１及びジャンプアイコンＩ２（図６（ａ）参照）をメインディスプレイ１０の端部に表示させた後（ステップＳ５）、選択辞書データベース８２０Ｓの変更操作が行われるか否かを判定する（ステップＳ６）。なお、カスタムアイコンＩ１及びジャンプアイコンＩ２は、後述の処理において説明情報内の構成要素の情報などをドラッグ＆ドロップする際のドロップ先の領域として用いられるようになっている。
【００４１】
このステップＳ６において選択辞書データベース８２０Ｓの変更操作が行われたと判定した場合（ステップＳ６；Ｙｅｓ）には、ＣＰＵ２０は、変更操作に応じて選択辞書データベース８２０Ｓを変更した後、上述のステップＳ５に移行する。
【００４２】
また、ステップＳ６において選択辞書データベース８２０Ｓの変更操作が行われないと判定した場合（ステップＳ６；Ｎｏ）には、ＣＰＵ２０は、学習コンテンツ８３０の指定操作が行われるか否かを判定する（ステップＳ７）。
【００４３】
このステップＳ７において学習コンテンツ８３０の指定操作が行われないと判定した場合（ステップＳ７；Ｎｏ）には、ＣＰＵ２０は、メインディスプレイ１０に表示された説明情報における何れかの構成要素の情報に対して選択操作が行われるか否かを判定する（ステップＳ８）。
【００４４】
このステップＳ８において何れの構成要素の情報に対しても選択操作が行われないと判定した場合（ステップＳ８；Ｎｏ）には、ＣＰＵ２０は、ステップＳ８の処理を繰り返す。
【００４５】
また、ステップＳ８において何れかの構成要素の情報に対して選択操作が行われたと判定した場合（ステップＳ８；Ｙｅｓ）には、ＣＰＵ２０は、選択された構成要素（以下、選択構成要素とする）の情報をカスタムアイコンＩ１上にドラッグ＆ドロップする旨の操作が行われるか否かを判定する（ステップＳ９）。
【００４６】
このステップＳ９において選択構成要素の情報をカスタムアイコンＩ１上にドラッグ＆ドロップする旨の操作が行われたと判定した場合（ステップＳ９；Ｙｅｓ）には、ＣＰＵ２０は、選択辞書データベース８２０Ｓの辞書名及び識別ＩＤと、選択構成要素とを対応付けて、設定対象のカスタム辞書設定テーブル８４０に設定し（ステップＳ１０）、上述のステップＳ６に移行する。
【００４７】
また、ステップＳ９において選択構成要素の情報をカスタムアイコンＩ１上にドラッグ＆ドロップする旨の操作が行われないと判定した場合（ステップＳ９；Ｎｏ）には、ＣＰＵ２０は、選択構成要素の情報をジャンプアイコンＩ２上にドラッグ＆ドロップする旨の操作が行われるか否かを判定する（ステップＳ１５）。
【００４８】
このステップＳ１５において選択構成要素の情報をジャンプアイコンＩ２上にドラッグ＆ドロップする旨の操作が行われたと判定した場合（ステップＳ１５；Ｙｅｓ）には、ＣＰＵ２０は、選択辞書データベース８２０Ｓをジャンプ先の辞書データベース８２０として、その辞書名及び識別ＩＤを設定対象のカスタム辞書設定テーブル８４０に設定して（ステップＳ１６）、上述のステップＳ６に移行する。
【００４９】
また、ステップＳ１５において選択構成要素の情報をジャンプアイコンＩ２上にドラッグ＆ドロップする旨の操作が行われないと判定した場合（ステップＳ１５；Ｎｏ）には、ＣＰＵ２０は、他の操作が行われるか否かを判定する（ステップＳ１７）。
【００５０】
このステップＳ１７において他の操作が行われないと判定した場合（ステップＳ１７；Ｎｏ）には、ＣＰＵ２０は上述のステップＳ６に移行する一方、他の操作が行われたと判定した場合（ステップＳ１７；Ｙｅｓ）には、当該操作に応じた処理を行う。
【００５１】
また、上述のステップＳ７において学習コンテンツ８３０の指定操作が行われたと判定した場合（ステップＳ７；Ｙｅｓ）には、ＣＰＵ２０は、指定された学習コンテンツ８３０（以下、指定学習コンテンツ８３０Ｓとする）に選択見出し語が存在するか否かを判定する（ステップＳ２１）。
【００５２】
このステップＳ２１において指定学習コンテンツ８３０Ｓに選択見出し語が存在しないと判定した場合（ステップＳ２１；Ｎｏ）には、ＣＰＵ２０は、その旨のメッセージをメインディスプレイ１０に表示させた後（ステップＳ２２）、上述のステップＳ６に移行する。
【００５３】
また、ステップＳ２１において指定学習コンテンツ８３０Ｓに選択見出し語が存在すると判定した場合（ステップＳ２１；Ｙｅｓ）には、ＣＰＵ２０は、指定学習コンテンツ８３０Ｓから選択見出し語に関する部分を読み出してメインディスプレイ１０に表示させた後、指定学習コンテンツ８３０Ｓ内の部分をカスタムアイコンＩ１上にドラッグ＆ドロップする旨の操作が行われるか否かを判定する（ステップＳ３１）。
【００５４】
このステップＳ３１において指定学習コンテンツ８３０Ｓ内の部分をカスタムアイコンＩ１上にドラッグ＆ドロップする旨の操作が行われないと判定した場合（ステップＳ３１；Ｎｏ）には、ＣＰＵ２０は、当該ステップＳ３１の処理を繰り返す。
【００５５】
また、ステップＳ３１において指定学習コンテンツ８３０Ｓ内の部分をカスタムアイコンＩ１上にドラッグ＆ドロップする旨の操作が行われたと判定した場合（ステップＳ３１；Ｙｅｓ）には、ＣＰＵ２０は、指定学習コンテンツ８３０Ｓを学習用情報の読み出し元として、そのコンテンツ名及び識別ＩＤを設定対象のカスタム辞書設定テーブル８４０に記憶させ（ステップＳ３２）、上述のステップＳ６に移行する。
【００５６】
＜辞書検索処理＞
図５は、ＣＰＵ２０が情報表示プログラム８１を読み出して実行する辞書検索処理の流れを示すフローチャートである。
【００５７】
この図に示すように、辞書検索処理においてまずＣＰＵ２０は、日本語系、英語系の「カスタム辞書」を用いる旨の選択操作が行われるか否か、つまり日本語系、英語系のカスタム辞書設定テーブル８４０を使用して辞書検索する旨の選択操作が行われるか否かを判定し（ステップＴ１）、行われないと判定した場合（ステップＴ１；Ｎｏ）には他の処理へ移行する。
【００５８】
また、ステップＴ１において日本語系、英語系の「カスタム辞書」を用いる旨の選択操作が行われたと判定した場合（ステップＴ１；Ｙｅｓ）には、ＣＰＵ２０は、選択された言語種のカスタム辞書設定テーブル８４０を選択カスタム辞書設定テーブル８４０Ｓとして設定した後、検索文字列の入力操作が行われるか否かを判定する（ステップＴ２）。なお、このステップＴ２においてユーザは、ステップＴ１で選択された「カスタム辞書」の言語種に対応する検索文字列を入力するようになっている。
【００５９】
このステップＴ２において検索文字列の入力操作が行われないと判定した場合（ステップＴ２；Ｎｏ）には、ＣＰＵ２０は、当該ステップＴ２の処理を繰り返す。
【００６０】
また、ステップＴ２において検索文字列の入力操作が行われたと判定した場合（ステップＴ２；Ｙｅｓ）には、ＣＰＵ２０は、検索文字列に対応する見出し語（例えば選択文字列に前方一致する見出し語）を辞書データベース８２０から検索し、検出された見出し語をメインディスプレイ１０に一覧表示させた後、ユーザ操作に基づいて何れかの見出し語を選択見出し語として選択するとともに、選択カスタム辞書設定テーブル８４０Ｓの言語種が日本語であるか否かを判定する（ステップＴ３）。
【００６１】
このステップＴ３において選択カスタム辞書設定テーブル８４０Ｓの言語種が日本語でないと判定した場合（ステップＴ３；Ｎｏ）には、ＣＰＵ２０は、選択カスタム辞書設定テーブル８４０Ｓによる記憶情報において構成要素に対応付けられた各辞書データベース８２０から、選択見出し語の説明情報のうち、当該構成要素の情報を読み出してＲＡＭ９０に一時記憶させ（ステップＴ４）、後述のステップＴ１１に移行する。
【００６２】
また、ステップＴ３において選択カスタム辞書設定テーブル８４０Ｓの言語種が日本語であると判定した場合（ステップＴ３；Ｙｅｓ）には、ＣＰＵ２０は、選択カスタム辞書設定テーブル８４０Ｓによる記憶情報において「筆順」以外の構成要素に対応付けられた各辞書データベース８２０から、選択見出し語の説明情報のうち、当該構成要素の情報を読み出してＲＡＭ９０に一時記憶させる（ステップＴ４）。
【００６３】
次に、ＣＰＵ２０は、説明情報における送り仮名表記の部分に漢字が含まれるか否かを判定し（ステップＴ５）、含まれないと判定した場合（ステップＴ５；Ｎｏ）には後述のステップＴ１１に移行する。
【００６４】
また、ステップＴ５において説明情報における送り仮名表記の部分に漢字が含まれると判定した場合（ステップＴ５；Ｙｅｓ）には、ＣＰＵ２０は、「筆順」の構成要素に対応付けられた漢字辞典の辞書データベース８２０内で各漢字を検索し（ステップＴ６）、検出された各漢字見出し語の説明情報から、筆順の情報を読み出してＲＡＭ９０に一時記憶させる（ステップＴ７）。
【００６５】
次に、ＣＰＵ２０は、選択カスタム辞書設定テーブル８４０Ｓに学習用情報の読み出し元として学習コンテンツ８３０のコンテンツ名が記憶されているか否かを判定し（ステップＴ１１）、記憶されていないと判定した場合（ステップＴ１１；Ｎｏ）には、後述のステップＴ１５に移行する。
【００６６】
また、ステップＴ１１において選択カスタム辞書設定テーブル８４０Ｓに学習用情報の読み出し元として学習コンテンツ８３０のコンテンツ名が記憶されていると判定した場合（ステップＴ１１；Ｙｅｓ）には、ＣＰＵ２０は、当該学習コンテンツ８３０から選択見出し語に関する学習用情報を読み出してＲＡＭ９０に一時記憶させる（ステップＴ１３）。
【００６７】
次に、ＣＰＵ２０は、ＲＡＭ９０に一時記憶された各構成要素の情報を一括してメインディスプレイ１０に表示させる（ステップＴ１５）。また、このときＣＰＵ２０は、メインディスプレイ１０の端部にジャンプアイコンＩ２を表示させる（図８（ａ）参照）。
【００６８】
次に、ＣＰＵ２０は、ジャンプアイコンＩ２に対してタッチ操作が行われるか否かを判定し（ステップＴ２１）、行われないと判定した場合（ステップＴ２１；Ｎｏ）には他の処理へ移行する。
【００６９】
また、ステップＴ２１においてジャンプアイコンＩ２に対してタッチ操作が行われたと判定した場合（ステップＴ２１；Ｙｅｓ）には、ＣＰＵ２０は、ユーザ操作に基づいてメインディスプレイ１０における表示内容から何れかの単語をジャンプ対象単語として指定する（ステップＴ２２）。
【００７０】
次に、ＣＰＵ２０は、選択カスタム辞書設定テーブル８４０Ｓにジャンプ先としていずれかの辞書名が設定されているか否かを判定し（ステップＴ２３）、設定されていないと判定した場合（ステップＴ２３；Ｎｏ）には他の処理へ移行する。
【００７１】
また、ステップＴ２３において選択カスタム辞書設定テーブル８４０Ｓにジャンプ先としていずれかの辞書名が設定されていると判定した場合（ステップＴ２３；Ｙｅｓ）には、ＣＰＵ２０は、当該辞書名の辞書データベース８２０からジャンプ対象単語の説明情報を読み出してサブディスプレイ１１に表示させる（ステップＴ２４）。
【００７２】
そして、ＣＰＵ２０は、戻るキー２ｇが操作されるか否かを判定し（ステップＴ２５）、操作されないと判定した場合（ステップＴ２５；Ｎｏ）には上述のステップＴ２４に移行する一方、操作されたと判定した場合（ステップＴ２５；Ｙｅｓ）には上述のステップＴ２２に移行する。
【００７３】
（動作例）
続いて、上記の情報表示処理を具体的に説明する。
【００７４】
まず、ユーザがカスタム辞書登録処理を実行させて、日本語のカスタム辞書設定テーブル８４０を設定対象として指定して（ステップＳ１）、「広○苑」（国語辞典）の辞書データベース８２０を選択辞書データベース８２０Ｓとして選択した後（ステップＳ２）、ユーザ操作に基づいて検索文字列「うまれる」を入力し（ステップＳ３）、見出し語「うまれる」を選択見出し語として選択すると（ステップＳ４）、図６（ａ）に示すように、選択辞書データベース８２０Ｓ（「広○苑」）から選択見出し語「うまれる」の説明情報が読み出されてメインディスプレイ１０に表示されるとともに、カスタムアイコンＩ１及びジャンプアイコンＩ２がメインディスプレイ１０の端部に表示される（ステップＳ５）。
【００７５】
次に、ユーザが音声アイコンＩ３（「音声」の構成要素）に対して選択操作を行い（ステップＳ８；Ｙｅｓ）、この選択構成要素の情報をカスタムアイコンＩ１上にドラッグ＆ドロップする旨の操作を行うと（ステップＳ９；Ｙｅｓ）、図３の１段目に示すように、選択辞書データベース８２０Ｓの辞書名「広○苑」及び識別ＩＤと、選択構成要素「音声」とが対応付けられて、日本語のカスタム辞書設定テーブル８４０に設定される（ステップＳ１０）。
【００７６】
次に、図６（ｂ）に示すように、ユーザが「活用語幹・語尾」の構成要素の情報に対して選択操作を行い（ステップＳ８；Ｙｅｓ）、この選択構成要素の情報をカスタムアイコンＩ１上にドラッグ＆ドロップする旨の操作を行うと（ステップＳ９；Ｙｅｓ）、図３の２段目に示すように、選択辞書データベース８２０Ｓの辞書名「広○苑」及び識別ＩＤと、選択構成要素「活用語幹・語尾」とが対応付けられて、日本語のカスタム辞書設定テーブル８４０に設定される（ステップＳ１０）。
【００７７】
次に、ユーザが選択辞書データベース８２０Ｓの変更操作を行うと（ステップＳ６；Ｙｅｓ）、この変更操作に応じて辞書名「明○国語辞典」が選択辞書データベース８２０Ｓに設定された後、図６（ｃ）に示すように、選択辞書データベース８２０Ｓ（「明○国語辞典」）から選択見出し語「うまれる」の説明情報が読み出されてメインディスプレイ１０に表示される（ステップＳ５）。
【００７８】
次に、ユーザが「送り仮名表記」の構成要素の情報に対して選択操作を行い（ステップＳ８；Ｙｅｓ）、この選択構成要素の情報をカスタムアイコンＩ１上にドラッグ＆ドロップする旨の操作を行うと（ステップＳ９；Ｙｅｓ）、図３の３段目に示すように、選択辞書データベース８２０Ｓの辞書名「明○国語辞典」及び識別ＩＤと、選択構成要素「送り仮名表記」とが対応付けられて、日本語のカスタム辞書設定テーブル８４０に設定される（ステップＳ１０）。
【００７９】
次に、図６（ｄ）に示すように、ユーザが「第１の語義」の構成要素の情報に対して選択操作を行い（ステップＳ８；Ｙｅｓ）、この選択構成要素の情報をカスタムアイコンＩ１上にドラッグ＆ドロップする旨の操作を行うと（ステップＳ９；Ｙｅｓ）、図３の６段目に示すように、選択辞書データベース８２０Ｓの辞書名「明○国語辞典」及び識別ＩＤと、選択構成要素「第１の語義」とが対応付けられて、日本語のカスタム辞書設定テーブル８４０に設定される（ステップＳ１０）。
【００８０】
次に、ユーザが選択辞書データベース８２０Ｓの変更操作を行うと（ステップＳ６；Ｙｅｓ）、この変更操作に応じて「新漢○林」（漢字辞典）が選択辞書データベース８２０Ｓに設定された後、図７（ａ）に示すように、選択辞書データベース８２０Ｓ（「新漢○林」）から選択見出し語「生」の説明情報が読み出されてメインディスプレイ１０に表示される（ステップＳ５）。
【００８１】
次に、ユーザが「筆順」の構成要素の情報（ここでは筆順を示す画像へのリンク部分）に対して選択操作を行い（ステップＳ８；Ｙｅｓ）、この選択構成要素の情報をカスタムアイコンＩ１上にドラッグ＆ドロップする旨の操作を行うと（ステップＳ９；Ｙｅｓ）、図３の１１段目に示すように、選択辞書データベース８２０Ｓの辞書名「新漢○林」及び識別ＩＤと、選択構成要素「筆順」とが対応付けられて、日本語のカスタム辞書設定テーブル８４０に設定される（ステップＳ１０）。
【００８２】
次に、ユーザが選択辞書データベース８２０Ｓの変更操作を行うと（ステップＳ６；Ｙｅｓ）、この変更操作に応じて「日本語発音アクセント辞典」（発音辞典）が選択辞書データベース８２０Ｓに設定された後、図７（ｂ）に示すように、選択辞書データベース８２０Ｓ（「日本語発音アクセント辞典」）から選択見出し語「うまれる」の説明情報が読み出されてメインディスプレイ１０に表示される（ステップＳ５）。
【００８３】
次に、ユーザが音声アイコンＩ３（「音声」の構成要素の情報）に対して選択操作を行い（ステップＳ８；Ｙｅｓ）、この選択構成要素の情報をジャンプアイコンＩ２上にドラッグ＆ドロップする旨の操作を行うと（ステップＳ１５；Ｙｅｓ）、図３の１３段目に示すように、選択辞書データベース８２０Ｓをジャンプ先の辞書データベース８２０として、その辞書名「日本語発音アクセント辞典」及び識別ＩＤが日本語のカスタム辞書設定テーブル８４０に設定される（ステップＳ１６）。
【００８４】
次に、ユーザが辞書検索処理を実行させて、図７（ｃ），（ｄ）に示すように、日本語系の「カスタム辞書」を用いる旨の選択操作を行い（ステップＴ１；Ｙｅｓ）、検索文字列「うまれる」の入力操作を行って（ステップＴ２；Ｙｅｓ）、見出し語「うまれる」を選択見出し語として選択すると、選択カスタム辞書設定テーブル８４０Ｓによる記憶情報において「筆順」以外に対応付けられた各辞書データベース８２０から、選択見出し語「うまれる」の説明情報のうち、当該構成要素の情報が読み出されてＲＡＭ９０に一時記憶される（ステップＴ４）。また、「筆順」の構成要素に対応付けられた「新漢○林」の辞書データベース８２０内で、送り仮名表記「生まれる・産まれる」の部分に含まれる各漢字「生」，「産」が検索され（ステップＴ６）、検出された各漢字見出し語「生」，「産」の筆順の情報が読み出されてＲＡＭ９０に一時記憶される（ステップＴ７）。
【００８５】
そして、図８（ａ）に示すように、ＲＡＭ９０に一時記憶された各構成要素の情報が一括されてメインディスプレイ１０に表示される（ステップＴ１５）。また、このときメインディスプレイ１０の端部にジャンプアイコンＩ２が表示される。なお、本動作例においては、各構成要素の情報には、当該構成要素の収録元の辞書名が付記される。
【００８６】
次に、ユーザがジャンプアイコンＩ２に対してタッチ操作を行い（ステップＴ２１；Ｙｅｓ）、メインディスプレイ１０における表示内容から単語「胎内」をジャンプ対象単語として指定すると（ステップＴ２２）、選択カスタム辞書設定テーブル８４０Ｓにジャンプ先として登録された、辞書名「日本語発音アクセント辞典」の辞書データベース８２０からジャンプ対象単語「胎内」の説明情報が読み出されてサブディスプレイ１１に表示される（ステップＴ２４）。なお、このときサブディスプレイ１１に表示された音声アイコンＩ３に対してタッチ操作を行うと、「胎内」の音声データが音声出力される。
【００８７】
また、上述の図７（ｄ）の状態においてユーザが検索文字列「すばらしい」の入力操作を行って（ステップＴ２；Ｙｅｓ）、見出し語「すばらしい」を選択見出し語として選択すると、選択カスタム辞書設定テーブル８４０Ｓによる記憶情報において「筆順」以外の構成要素に対応付けられた各辞書データベース８２０から、選択見出し語「すばらしい」の説明情報のうち、当該構成要素の情報が読み出されてＲＡＭ９０に一時記憶される（ステップＴ４）。また、「筆順」の構成要素に対応付けられた「新漢○林」の辞書データベース８２０内で、送り仮名表記「素晴らしい」の部分に含まれる各漢字「素」，「晴」が検索され（ステップＴ６）、検出された各漢字見出し語「素」，「晴」の情報から、筆順の情報が読み出されてＲＡＭ９０に一時記憶される（ステップＴ７）。
【００８８】
そして、図８（ｂ），（ｃ）に示すように、ＲＡＭ９０に一時記憶された各構成要素の情報が一括されてメインディスプレイ１０に表示される（ステップＴ１５）。なお、図８（ｃ）は、図８（ｂ）の状態から表示内容を下側にスクロールさせた状態を示している。
【００８９】
なお、英語系の「カスタム辞書」を用いて辞書検索処理を行い、見出し語「broadcast」を選択見出し語として選択すると、図９に示すように説明情報が表示されることとなる。このとき、英語のカスタム辞書設定テーブル８４０では、「音声」や「発音記号」、「品詞」などの構成要素に対して「ジ○ニアス英和辞書」の辞書データベース８２０が対応付けられており、「活用形」や「用例」の構成要素に対して「オ○クスフォード英英辞書」の辞書データベース８２０が対応付けられており、学習用情報の読み出し元として「ＴＯＥＩＣ２０００語」が記憶されている。また、サブディスプレイ１１には、「ＴＯＥＩＣ２０００語」の学習コンテンツ８３０内で見出し語「broadcast」を学習済みとしてチェックするためのチェックボタンＢが表示されている。
【００９０】
以上の電子辞書１によれば、図３や図５のステップＴ４、Ｔ１５、図８、図９等に示したように、説明情報における１つ以上の各構成要素が辞書データベース８２０の何れかに対応付けてカスタム辞書設定テーブル８４０に記憶されており、当該カスタム辞書設定テーブル８４０において要素名に対応付けられた各辞書データベース８２０から、検索文字列に対応する見出し語の説明情報のうち、当該構成要素の情報が読み出され、これら読み出した構成要素の情報が一括して表示されるので、見出し語の説明情報を構成要素ごとに所望の辞書データベース８２０から読み出し、これら構成要素ごとの情報を一括して表示させることができる。
【００９１】
また、図５のステップＴ７や図８等に示したように、カスタム辞書設定テーブル８４０において筆順の構成要素に漢字辞典の辞書データベース８２０が対応付けられている場合には、検索文字列に対応する見出し語内、或いは当該見出し語の送り仮名表記内の各漢字の筆順の情報が辞書データベース８２０から読み出されて表示内容に含められるので、筆順を含めて説明情報を表示させることができる。
【００９２】
なお、本発明を適用可能な実施形態は、上述した実施形態に限定されることなく、本発明の趣旨を逸脱しない範囲で適宜変更可能である。
【００９３】
例えば、本発明に係る情報表示装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能な外部情報記憶媒体１２ａに記憶されることとしてもよい。
【００９４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
各見出し語と、当該見出し語についての複数の構成要素の情報を含む説明情報とを対応付けた辞書情報を複数種類記憶する辞書記憶手段と、
ユーザ操作に基づいて、前記複数の構成要素のうち１つ以上の構成要素を、前記複数種類の辞書情報の何れかに対応付けて設定する構成要素‐辞書情報対応設定手段と、
ユーザ操作に基づいて検索文字列を入力する入力手段と、
前記構成要素‐辞書情報対応設定手段により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御手段と、
を備えることを特徴とする情報表示装置。
＜請求項２＞
請求項１記載の情報表示装置において、
前記複数種類の辞書情報には、
１文字の漢字の見出し語と、少なくとも当該漢字の筆順を構成要素の情報として含む説明情報とを対応付けた漢字辞典の辞書情報が含まれており、
前記説明情報表示制御手段は、
前記構成要素−辞書情報対応設定手段に筆順の構成要素が設定されている場合には、前記検索文字列に対応する見出し語内、或いは当該見出し語の送り仮名表記内の各漢字の筆順の情報を、当該筆順の構成要素に対応づけて設定された漢字辞典の辞書情報からそれぞれ読み出して、一括して表示させること特徴とする情報表示装置。
＜請求項３＞
請求項１または２記載の情報表示装置において、
前記構成要素‐辞書情報対応設定手段は、
ユーザ操作に基づいて、前記辞書記憶手段に記憶されたいずれかの辞書情報の何れかの見出し語の説明情報を表示させる説明情報表示制御手段と、
ユーザ操作に基づいて、前記説明情報表示制御手段により表示制御された説明情報中の何れかの構成要素の情報を、登録用領域までドラッグ&ドロップすると、このドラッグ&ドロップされた情報の構成要素を当該辞書情報に対応付けて設定するドラッグ&ドロップ設定手段と、
を有することを特徴とする情報表示装置。
＜請求項４＞
請求項１〜３の何れか一項に記載の情報表示装置において、
前記複数種類の辞書情報には、
複数の言語の辞書情報が含まれており、
当該情報表示装置は、
前記構成要素‐辞書情報対応設定手段を、言語種ごとに備えることを特徴とする情報表示装置。
＜請求項５＞
請求項４記載の情報表示装置において、
前記構成要素‐辞書情報対応設定手段は、
何れかの辞書情報を、ジャンプ先の辞書情報として設定するジャンプ先設定手段を有しており、
前記表示手段は、
メインディスプレイと、サブディスプレイとを有しており、
前記説明情報表示制御手段は、
辞書情報から読み出した構成要素の部分を一括して前記メインディスプレイに表示させ、
当該情報表示装置は、
前記構成要素情報一括表示制御手段により表示制御された各構成要素の情報のうちの何れかの単語を、ユーザ操作に基づきジャンプ対象単語として指定する単語指定手段と、
前記単語指定手段により前記ジャンプ対象単語が指定された場合に、当該ジャンプ対象単語に対応する見出し語の説明情報を、前記ジャンプ先の辞書情報から読み出して前記サブディスプレイに表示させるジャンプ先表示制御手段と、
を備えることを特徴とする情報表示装置。
＜請求項６＞
表示手段を有するコンピュータに、
各見出し語と、当該見出し語についての複数の構成要素の情報を含む説明情報とを対応付けた辞書情報を複数種類記憶する辞書記憶機能と、
ユーザ操作に基づいて、前記複数の構成要素のうち１つ以上の構成要素を、前記複数種類の辞書情報の何れかに対応付けて設定する構成要素‐辞書情報対応設定機能と、
ユーザ操作に基づいて検索文字列を入力する入力機能と、
前記構成要素‐辞書情報対応設定機能により設定された各辞書情報から、前記検索文字列に対応する見出し語の説明情報のうち、当該各辞書情報に対応付けて設定された構成要素の情報をそれぞれ読み出し、これら読み出された各構成要素の情報を一括して前記表示手段に表示させる構成要素情報一括表示制御機能と、
を実現させることを特徴とする情報表示プログラム。
【符号の説明】
【００９５】
１      電子辞書
２０    ＣＰＵ
３０    入力部
４０    表示部
８１    情報表示プログラム
【図１】
0005794073.tif 000002
【図２】
0005794073.tif 000003
【図３】
0005794073.tif 000004
【図４】
0005794073.tif 000005
【図５】
0005794073.tif 000006
【図６】
0005794073.tif 000007
【図７】
0005794073.tif 000008
【図８】
0005794073.tif 000009
【図９】
0005794073.tif 000010